(57)【特許請求の範囲】
【請求項１】
ケーシングの天面に形成された吸込口と、その内面側に沿って配置されたフィルタと、該フィルタ面の一部を保持する保持部材と、前記保持部材を移動させて前記吸込口との位置関係を変更させることにより、吸込口と対面するフィルタの有効面積を変更する変更手段とを備えたことを特徴とする空気調節装置。
【請求項２】
前記変更手段は、前記保持部材の一部又は全部が吸込口に対面する位置にあるフィルタの有効面積が小なる姿勢と、前記保持部材が吸込口に対面する位置から外れる方向に移動した位置にあるフィルタの有効面積が大なる姿勢とに切換自在とされたことを特徴とする請求項１に記載の空気調節装置。
【請求項３】
ケーシングの前面を開閉自在とする前面パネルを備え、前記変更手段は、該前面パネルの開閉に連動して前記保持部材を移動させることを特徴とする請求項１又は２に記載の空気調節装置。
【請求項４】
前記保持部材は、前記フィルタの塵埃を除去する清掃手段であることを特徴とする請求項１〜３のいずれかに記載の空気調節装置。
【発明の詳細な説明】
【技術分野】
【０００１】
本発明は、フィルタ清掃手段のようなフィルタ面を覆う保持部材が設けられた空気調節装置に関する。
【背景技術】
【０００２】
図５に示すように、空気調節装置の室内機１では、ケーシング２の天面に形成された吸込口７から室内ファン４でケーシング２内に吸いこんだ空気を熱交換器３で熱交換し、熱交換された空気を吹出口８から吹き出す。吸込口７には、これと対向して、吸い込んだ空気の塵埃を捕集するフィルタ１３が設けられており、このフィルタ１３を通過した空気が熱交換器３へ送られる。また、フィルタ１３の両面を挟むようにして清掃装置１６が設けられ、フィルタ１３に付着した塵埃が除去される。
【０００３】
例えば、特許文献１には、清掃ブラシを内装した除塵ボックスと、除塵ボックスの内部の空気を吸引する吸引部を備えたフィルタ清掃装置が設置された空気調節装置が記載されている。除塵ボックスはフィルタの両面を覆う。フィルタは移動可能とされ、除塵ボックスを貫通するようにその内部を通過する。清掃ブラシにより通過するフィルタから塵埃が除去され、フィルタから取り除かれた塵埃が吸引部により吸引されて、除塵ボックスの外部に排出される。
【先行技術文献】
【特許文献】
【０００４】
【特許文献１】特開２００７−１８３０８１号公報
【発明の概要】
【発明が解決しようとする課題】
【０００５】
しかしながら、本来であれば、ケーシング天面の吸込口と対向するフィルタ面の全域で空気流通できるはずなのであるが、フィルタ面の一部が覆われている場合、その部分では空気が通過できない。
【０００６】
例えば、図５や特許文献１のように、ケーシング内の前面上方、すなわちケーシングの天面と前面パネルとの境界付近に除塵ボックスが配置されている場合、吸込口に対面するフィルタ面の一部が除塵ボックスの後部で覆われており、この部分では空気が通過できない。その分、空気流通量が減ることになる。
【０００７】
空気が流通可能な部分は、除塵ボックスの後端からケーシングの後面までの間に位置するフィルタ部分となる。このフィルタ部分の面積（フィルタの有効面積）の大小に比例して、ケーシング内への空気の吸込量も増減することになる。フィルタの有効面積が大きく、空気の吸込量が多くなるほど、熱交換器との熱交換を効率よく行うことができ、省エネ効果も高くなる。したがって、フィルタの有効面積をいかに広く設定することができるかが省エネを考える上で重要となる。
【０００８】
本発明は、上記に鑑み、フィルタの有効面積を広くすることのできる空気調節装置の提供を目的とする。
【課題を解決するための手段】
【０００９】
本発明は、ケーシングの天面に形成された吸込口と、その内面側に沿って配置されたフィルタと、フィルタ面の一部を保持する保持部材と、保持部材を移動させて吸込口との位置関係を変更させることにより、吸込口と対面するフィルタの有効面積を変更する変更手段とを備えたことを特徴とする空気調節装置である。
【００１０】
保持部材とは、フィルタとは別部材で設けられた、フィルタの一面又は両面の一部を保持する部材であり、例えば、フィルタ面の塵埃を除去する清掃手段や、ケーシング内においてフィルタを所定位置に保持するための柱材等が挙げられるが、これに限定されるものではない。保持部材は、フィルタ面を保持する一方で、その部分におけるフィルタの空気流通を阻害する。この保持部材がケーシング天面に形成された吸込口と対向する位置にあれば、その分だけ、吸込口と直接対向するフィルタ部分の面積（フィルタの有効面積）が小さくなるため、空気流通可能な面積が小さくなり、空気の吸込量が低下してしまう。
【００１１】
そこで、上述のように、本発明は、保持部材を移動させて吸込口との位置関係を変更させることのできる変更手段を設けたことを特徴とするものである。変更手段は、保持部材を移動させることにより、吸込口に対面する位置にある保持部材の面積を変更する。吸込口に対面する位置にある保持部材の面積が大きい程、フィルタの有効面積は小さくなり空気流通量は少なくなる。反対に、吸込口に対面する位置にある保持部材の面積が小さい程、フィルタの有効面積は大きくなり空気流通量は多くなる。すなわち、フィルタの有効面積が最大となるのは、保持部材の全体が吸込口と対面する位置にない姿勢であり、反対にフィルタの有効面積が最小となるのは、保持部材の全体が吸込口と対面する位置にある姿勢である。
【００１２】
これを利用して、変更手段は、保持部材の一部又は全部が吸込口に対面する位置にあるフィルタの有効面積が小なる姿勢と、保持部材が吸込口に対面する位置から外れる方向に移動した位置にあるフィルタの有効面積が大なる姿勢とに切換自在とすることができる。「フィルタの有効面積が小なる姿勢」と「フィルタの有効面積が大なる姿勢」は、相対的に決定される。空気調節装置の冷房又は暖房運転時に、フィルタの有効面積が大なる姿勢に切換え可能とすれば、運転時にケーシング外からの空気を比較的多く取り込むことができ、熱交換器との熱交換を効率よく行うことができる。空気調節装置の運転停止時には、フィルタの有効面積が小なる姿勢となるようにすれば、保持部材の一部又は全部が吸込口に対面する位置にあるため、前後方向において装置をコンパクト化することができる。
【００１３】
また、特開２０００−１１１０８２、特開２００５−１８８８１５及び特開２００６−１２５７２３等に開示されているように、ケーシングの前面を開閉自在とする前面パネルを設け、運転中に前面パネルを開いてケーシング前面を開放して十分な吸込量を確保する空気調節装置が知られている。本発明はこのようなケーシングの前面を開閉自在とする前面パネルを備え、変更手段は、前面パネルの開閉に連動して保持部材を移動させることができる。例えば、前面パネルに保持部材を連結しておけば、前面パネルを開いたとき、これに連結された保持部材が前方へ引っ張られて前方へ移動する。このように、前面パネルを開く動作（開動作）を行うだけで、これに連動して保持部材を前方へ移動させて、吸込口との位置関係を変更させることができる。この構成によれば、空気調節装置の運転停止時における前面パネルを閉めた状態（閉成時）では、保持部材の一部又は全部を吸込口に対面する位置において、有効面積が小なる姿勢とし、空気調節装置の運転時における前面パネルを開いた状態（開成時）では、保持部材が前方へ移動することにより、吸込口に対面する位置から外れる方向に移動した位置にあるため、有効面積が大なる姿勢となる。
【００１４】
フィルタは、固定式であっても移動式であってもよいが、フィルタを移動経路に沿って移動する移動式とし、フィルタを清掃手段に対して移動自在とすれば、その移動によりフィルタの全面を清掃することができる。この際、移動経路は、フィルタをケーシング内で移動させる形態であっても、ケーシング外へ突出するように移動させる形態であってもよい。フィルタをケーシング内で移動させる形態であれば、フィルタがケーシング外へ突出しないので、外観上好ましい。移動経路の形態は、たとえば、吸込口の内面側に沿って形成されると共に、その端部からＵ字状に湾曲させながら折り返して形成してもよいし、吸込口の内面側に沿って形成されると共に、その端部から内側又は外側に渦状に巻き上げる形態としてもよい
【発明の効果】
【００１５】
本発明によると、変更手段によって保持部材を移動させることにより、吸込口に対面する位置にある保持部材の面積を変更することができる。吸込口に対面する位置にある保持部材の面積が大きい程、フィルタの有効面積は小さくなり、吸込口に対面する位置にある保持部材の面積が小さい程、フィルタの有効面積は大きくなる。フィルタの有効面積を大とすることにより、ケーシング外からの空気を多く取り込むことができ、熱交換器との熱交換を効率よく行うことができる。
【図面の簡単な説明】
【００１６】
【図１】本発明の空気調節装置の室内機の斜視図
【図２】本発明の空気調節装置の室内機の分解斜視図
【図３】本発明の空気調節装置の室内機の前面パネルを閉じた状態を示す側面断面図
【図４】本発明の空気調節装置の室内機の前面パネルを開いた状態を示す側面断面図
【図５】従来の空気調節装置の室内機を示す側面断面図
【図６】本発明の空気調節装置の室内機の側面断面を示す概念図
【図７】本発明の空気調節装置の室内機の下部リアガイダ及び前ドレンパンを取り外した状態の側面断面を示す概念図
【図８】本発明の他の形態の空気調節装置の室内機の正面図
【図９】本発明の他の形態の空気調節装置の室内機の側面断面図
【図１０】本発明の他の形態の表示部の分解斜視図
【図１１】図１０において磁石板を除いた状態を示す図
【発明を実施するための形態】
【００１７】
本空気調節装置は、室内機１と室外機（図示せず）とから構成される。図１〜図３に示すように、本空気調節装置の室内機１は、ケーシング２により外装が形成され、その内部に熱交換器３および室内ファン４等が内装される。ケーシング２は、熱交換器３および室内ファン４等を保持し、背面側で室内の壁面に取り付けられる後ケーシング５と、後ケーシング５の前面側を覆う背面開放の箱状の前ケーシング６とから構成される。
【００１８】
前ケーシング６は、ケーシング２の前面、上下面および左右側面を覆う。前ケーシング６の天面には、室内空気を吸い込むために格子状に形成された吸込口７が形成される。前ケーシング６の前面下部は傾斜面とされ、この傾斜面に熱変換された空気を送り出すための吹出口８が形成される。吹出口８には、ルーバ９と、その前側に開閉自在に軸支された導風パネル１０とが設けられる。前ケーシング６の前面上部には室内の空気を吸い込む前面吸気口が設けられ、この前面吸気口を開閉自在に支持された１枚構造の前面パネル１２が設けられる。前面吸気口は、後述するフィルタ１３をケーシング２内へ装着するための開口としても利用される。
【００１９】
ケーシング２内には、吸込口７と対向する位置に配された逆Ｖ字状の室内熱交換器３が設けられ、吸込口７から室内空気を吸い込み、室内熱交換器３で熱交換した空気を吹出口８から吹出すための室内ファン４が熱交換器３に囲まれるようにして設けられる。逆Ｖ字状の室内熱交換器３の前方上方側には、略三角形状の空間ができる。この空間からケーシング２の吸込口７の内面に沿う位置にかけて、フィルタ１３移動のためのＵ字状の移動経路１４が設けられ、フィルタ１３の両端を保持する。Ｕ字状の移動経路１４の内側には駆動手段１５が設けられ、フィルタ１３を移動経路１４に沿って前後に往復移動させる。また、移動経路１４の途中に保持部材としての清掃手段１６が設けられ、フィルタ１３の清掃を行う。
【００２０】
また、本空気調節装置は、清掃手段１６を移動させて吸込口７との位置関係を変更させることにより、吸込口７と直接対面するフィルタ１３の有効面積を変更する変更手段を備える。変更手段は、前面パネル１２と、前面パネル１２を電動駆動で開閉させる後述のパネル開閉機構と、前面パネル１２と後述のフィルタ清掃ユニットを連結する後述の連結部材２０と、移動経路１４の全長を延長する後述の延長部２１とから構成される。パネル開閉機構により前面パネル１２を開動作すると、連結部材２０によってフィルタ清掃ユニットが前側へ引き出されるため、清掃手段１６を前方へ移動させることができる。この際、移動経路１４も前方へ移動するが、延長部２１により移動経路１４を延長できるため、フィルタ１３を吸込口７に対向して安定して保持でき、フィルタ１３の有効面積を確保することができる。なお、変更手段の構成は清掃手段１６を移動させる態様であれば上記に限定されるものではなく、パネル開閉機構を設けずに手動で前面パネル１２を開閉するようにしてもよいし、延長部２１を省略する構成としてもよい。また、フィルタ清掃ユニットを移動させる動力源としてパネルの開閉動作を利用したが、これに限定されるものではなく、モータ等の別の動力源を用いて引っ張るようにしてもよい。また、フィルタ清掃ユニットの全体を移動させずに、清掃手段１６のみを移動させるようにしてもよい。
【００２１】
図６に示すように、Ｖ字状の熱交換器３のうち前側の熱交換器３ａ及び後ろ側の熱交換器３ｂのそれぞれの下方には、冷房運転時や除湿運転時に熱交換器３で発生する結露水を貯留する樋状の前ドレンパン２２及び後ドレンパン２３が設けられる。前ドレンパン２２及び後ドレンパン２３は、その左右端側で連結される。前ドレンパン２２は後ドレンパン２３に対して着脱自在とされる。
【００２２】
後ドレンパン２３の前側には室内ファン４に接近して上部リアガイダ２４が形成される。上部リアガイダ２４は、後ドレンパン２３と一体的に形成される。また、上部リアガイダ２４の湾曲面に連続するように、その下方に下部リアガイダ２５が設けられる。下部リアガイダ２５は、上部リアガイダ２４及び後ケーシング５に着脱自在に設けられる。上部リアガイダ２４から下部リアガイダ２５にかけての面は、内部空気通路の送風方向に合わせて円弧状に形成される。この上部リアガイダ２４及び下部リアガイダ２５の円弧形状によって、熱交換された空気が室内側へ導風される。また、下部リアガイダ２５のリアガイダ面にルーバ９が設けられる。
【００２３】
下部リアガイダ２５は、上部リアガイダ２４との接合点Ｘから吹出口８にかけてのリアガイダ面２５ａと、その端部から後方へ折曲した底面２５ｂとを有する側面視略くの字状に形成される。このように形成された下部リアガイダ２５を取り外せば、室内ファン４の下方が大きく開放することになる。
【００２４】
また、図７に示すように、下部リアガイダ２５と上部リアガイダ２４との接合点Ｘと、前側の熱交換器３ａの最も近い寸法Ｌ０が、室内ファン４の直径よりも大きく設定される。このような構成により、下部リアガイダ２５及び前ドレンパン２２を取り外すだけで、熱交換器３を取り外さずとも、下方に開いた口から室内ファン４を簡単に取り外すことができる。室内ファン４が何らかの理由により破損した場合でも、簡単にケーシング２外へ取り外して、交換することができる。
【００２５】
フィルタ１３の移動経路１４と、フィルタ１３を前後方向に往復動させる駆動手段１５と、フィルタ１３の清掃手段１６は、それぞれ共通の支持板２６に設けられることによりこれらはフィルタ清掃ユニットとしてユニット化される。支持板２６は、ケーシング２内において前後方向に配され、左右と中央に合計３枚設けられる。３枚の各支持板２６は後端側で連結され一体化されている。
【００２６】
図１及び図２に示すように、左右の支持板２６の側面から側方へピン２７が突設され、ピン２７が後ケーシング５の左右の側壁に設けられた長孔２８に挿通される。長孔２８は前後方向に長く形成されており、支持板２６は後ケーシング５に対して前後動自在に軸支される。この構造により、フィルタ清掃ユニットは全体として前後に移動可能となる。
【００２７】
図３に示すように、移動経路１４は、吸込口７の内面側に沿って形成される往路２９と、側面視逆Ｖ字状の熱交換器３の前方側とキャビネットとの間に形成される空間部においてＵ字状に折り返して形成される折り返し部３０と、前側の熱交換器３ａに沿って形成される復路３１とが連続して形成される。すなわち、往路２９の前方部分、折り返し部３０及び復路３１の前方部分が、側面視逆Ｖ字状の熱交換器３の前方側とキャビネットとの間に形成される空間部に配置された、Ｕ字状の移動経路１４である。このように、熱交換器３の前方側とケーシング２との間に形成される空間部に、移動経路１４の折り返し部３０を配置することにより、空間を有効利用することができる。また、移動経路１４は、復路３１の下流側が往路２９の途中に合流され、ヘアピン状に形成される。
【００２８】
移動経路１４は、左右の支持板２６の内面側と、中央の支持板２６の両面に形成され、左右２枚のフィルタ１３を挿入可能とされる。移動経路１４は、内側壁３２と外側壁３３とから構成され、内側壁３２と外側壁３３の間にフィルタ１３の両端が保持される。
【００２９】
さらにまた、移動経路１４は延長部２１を有し、移動経路１４の全長が前後方向に延長可能とされる。延長部２１は、移動経路１４の合流部分の後端に設けられる。延長部２１は、移動経路１４の内側壁３２及び外側壁３３の間隔よりも広く設定された延長内側壁３４と延長外側壁３５を有し、この２つの壁３４、３５の間に移動経路１４の内側壁３２及び外側壁３３を挿入して重なり部分を形成し、重なり量を調節することにより移動経路１４の全長を伸縮自在とすることができる。延長内側壁３４及び延長外側壁３５は、ケーシング２内を前後方向に配された延長支持板３６に設けられるが、移動経路１４の内側壁３２と外側壁３３との重なり部分には延長支持板３６は設けられず、その部分だけ延長内側壁３４と延長外側壁３５が突出した形となる。この構成により、移動経路１４との重なり部分を形成しつつ、フィルタ１３を案内することができる。また、延長部２１は、後方側が湾曲して後ケーシング５の背面に沿って形成される。延長支持板３６は、後ケーシング５に固定され、支持板２６とは独立している。
【００３０】
なお、上記とは反対に、延長内側壁３４及び延長外側壁３５の間隔を、移動経路１４の内側壁３２及び外側壁３３の間隔よりも小とし、延長部２１を移動経路１４の内側壁３２及び外側壁３３の間に挿入して重なり部分を形成するようにしてもよい。また、延長部２１の形態は上記に限定されるものではなく、移動経路１４の一部を蛇腹状にすることにより伸縮自在としてもよい。
【００３１】
上記構成において、図４に示すように、後ケーシング５に軸支された支持板２６を前方側に移動させると、これに伴いユニット化された移動経路１４も前方へ移動する。これに対し、移動経路１４の延長部２１は、支持板２６とは独立して後ケーシング５に固定されているので不動である。すると、移動経路１４と延長部２１との重なり部分が減り、全体として移動経路１４が伸長することになる。
【００３２】
フィルタ１３は、右フィルタ１３ａおよび左フィルタ１３ｂからなり、移動経路１４の内側壁３２及び外側壁３３の間と、延長部２１の延長内側壁３４及び延長外側壁３５の間に、左右両端が支持される。フィルタ１３は、吸込口７から吸い込まれた空気中のごみや塵を除去する。フィルタ１３は、フィルタ網と、フィルタ網の四方を支持するフィルタ枠とから構成される。フィルタ枠の縦枠は側面視が波形状に形成され、駆動手段１５の従動ギア３９と噛み合わせ可能となり、従動ギア３９の回転により、フィルタ１３がヘアピン状の移動経路１４に沿って前後に移動可能とされる。
【００３３】
駆動手段１５は、Ｕ字状の移動経路１４の内壁の内側であって、折り返し部３０に位置するように、支持板２６に固定される。駆動手段１５は、駆動源であるモーター（図示せず）と、モーターの出力軸に連結されて回転する駆動ギア（図示せず）と、駆動ギアと噛み合って回転する従動ギア３９とから構成される。従動ギア３９は、フィルタ枠の縦枠の凹凸と噛み合わせることにより、その回転に伴ってフィルタ１３を前後に移動可能とする。
【００３４】
清掃手段１６は、フィルタ１３の移動経路１４の往路２９の前方側に位置するように、移動経路１４の支持板２６に固定される。このように、清掃手段１６がケーシング２の前面側に設けられるので、吸込口７に対向しているフィルタ１３の全面を清掃手段１６により清掃することができると共に、清掃手段１６にフィルタ１３を取付けやすい。また、清掃手段１６の後部が、前ケーシング６天面の吸込口７と対面する位置にある。したがって、吸込口７と対面するフィルタ１３の有効面積は、清掃手段１６が遮蔽している分だけ小さくなる。すなわち、清掃手段１６の後端から吸込口７の後端までが吸込可能なフィルタ１３の有効面積となり、本実施形態においては清掃手段１６の後端から吸込口７の後端までの長さＬ１が２１０ｍｍであった。
【００３５】
清掃手段１６は、吸引部４０と、吸引装置４１と、吸引部４０及び吸引装置４１を連結するための筒状の吸引ダクト４２とから構成される。吸引部４０は、断面形状が略コの字状の上ケース４３及び下ケース（図示せず）から構成され、上ケース４３及び下ケースの凹部を対向させた状態で、ケーシング２の前方を横方向に橋渡しするようにしてケーシング２に固定される。上ケース４３と下ケースとの間には隙間があり、この隙間をフィルタ１３が走行可能とされる。上ケース４３及び下ケースとフィルタ１３表面との間は、きわめて狭い間隔を保っている。吸引部４０の左右両端は開口されている。
【００３６】
吸引装置４１は、吸引ファン（図示せず）と、吸引ファンの周囲を覆う吸引カバー４４とから構成される。吸引カバー４４には、吸引口（図示せず）と排気口４５とが開口され、この吸引口と吸引部４０の開口とが吸引ダクト４２で連結される。排気口４５は、室外と連通するダクト（図示せず）に連結される。吸引ファンを回転させることにより、吸引力が発生し、吸引部４０でフィルタ１３の塵埃を吸引することができる。吸引した空気は排気口より外部に排気される。
【００３７】
前面パネル１２は、その下部が前ケーシング６に支軸１２ａにより回動自在に軸支され、上部を前方へ倒すことにより、ケーシング２の前面吸気口を開放することができる。前面パネル１２の開動作は、手動で行ってもよいが、パネル開閉機構により電動駆動により行われる。
【００３８】
パネル開閉機構は、公知の機構を採用すればよいが、本実施形態においては、パネル開閉機構は、図３及び図４に示すように、アーム部材４６と、アーム部材４６を前後動させる駆動機構とを備える。図２及び図３に示すように、アーム部材４６は、前後方向に配され、前端の支軸４６ａは前面パネル１２のフック１２ｂに回動自在に軸支され、後端のピン４７は前ケーシング６の側壁６ａに形成された長孔４８にを挿通することにより前後動自在に軸支される。アーム部材４６の下端には前後方向に歯部４９が形成される。
【００３９】
駆動機構は、駆動源であるモーター（図示せず）と、モーターの出力軸に連結されて回転する駆動ギア（図示せず）と、駆動ギアと噛み合って回転する従動ギア５０とから構成される。従動ギア５０とアーム部材４６の歯部４９が噛み合うことにより、従動ギア５０の回転方向に応じてアーム部材４６が前後に移動する。このアーム部材４６の動きに伴い、前面パネル１２が開閉される。
【００４０】
また、前面パネル１２は、その内面側とフィルタ清掃ユニットが連結部材２０により連結される。連結部材２０の材質は特に限定されるものではなく、前面パネル１２と同じ素材としてもよいし、紐、針金等の異素材を用いてもよい。本実施形態においては、フィルタ清掃ユニットのうち清掃手段１６が連結部材２０により連結されるが、支持板２６、移動経路１４、駆動手段１５等のその他の部材と連結するようにしてもよい。前面パネル１２の開動作に伴って、連結部材２０により清掃手段１６と共にユニット化されたフィルタ清掃ユニット全体が前方へ引き出される。また、前面パネル１２が閉まると、閉動作に伴って連結部材２０により清掃手段１６が後方へ押される。清掃手段１６と共にユニット化されたフィルタ清掃ユニットが後方へ移動し、元の位置へ戻る。
【００４１】
なお、清掃手段１６は、その後端がケーシング２の吸込口７の前端よりも前方側まで移動するように設定される。清掃手段１６が吸込口７と対面しないので、フィルタ１３の吸込可能な有効面積を最大限に確保することができる。
【００４２】
以上の構成において、本実施形態の空気調節装置は、運転休止中には、図３に示したように前面パネル１２を閉じた状態に保持して前面吸気口を塞いでいる。このとき、清掃手段１６の一部が吸込口７に対面する位置にあり、フィルタ１３の有効面積が小となる姿勢となる。清掃手段１６の後端から吸込口７の後端までの長さＬ１は例えば２１０ｍｍである。
【００４３】
一方、空気調節装置の操作用のリモコン等を通じて運転開始操作がなされたことが不図示の制御部によって検知されると、図４に示すように、駆動機構が備えるモータにより、前面パネル１２が電動駆動されてその上端側から開閉駆動され、わずかな角度だけ開いた状態で保持することにより、前面パネル１２の内側にある前面吸気口への空気の流入経路を確保する。前面パネル１２は、その下端部を回動中心として、上端側からわずかな角度（例えば、１０°〜２０°程度）だけ開閉可能としている。
【００４４】
このとき、前面パネル１２の開動作に伴って、連結部材２０によりフィルタ清掃ユニットが前方へ引っ張られる。すると、清掃手段１６と吸込口７との位置関係が変わり、清掃手段１６が吸込口７に対面する位置から外れた位置にある、フィルタ１３の有効面積が大なる姿勢となる。この際、清掃手段１６に保持され、駆動手段１５の従動ギア３９と噛み合ったフィルタ１３も一緒に前方へ移動するが、移動経路１４は延長部２１によりその全長が延長されるため、フィルタ１３を吸込口７に沿った位置に保持することができる。なお、本実施形態においては、フィルタ１３の有効面積の前後方向の長さＬ２は２３０ｍｍとなり、Ｌ２＞Ｌ１の関係となる。フィルタ１３の有効面積の小なる姿勢と比べて、ケーシング２外からの空気を多く取り込むことができ、熱交換器３との熱交換を効率よく行うことができる。
【００４５】
また、リモコン等を通じて運転停止操作がなされたことが不図示の制御部によって検知されると、前面パネル１２が閉じられると共に、この閉動作に伴って連結部材２０によって清掃手段１６が後方へ押される。フィルタ清掃ユニットが後方へ移動され、元の位置へ戻る。
【００４６】
なお、本発明は、上記実施形態に限定されるものではなく、本発明の範囲内で上記実施形態に多くの修正および変更を加え得ることは勿論である。例えば、上記実施形態においては、前面パネル１２を上方が開口する形態としたが、下方が開口するようにしてもよいし、また、前面パネル１２が前面吸気口から平行して前方へ移動するようにしてもよい。
【００４７】
また、図８〜図１１に示すように、前ケーシング６の前面上部に表示部５１を設けることができる。具体的には、前ケーシング６の上部フレーム５２部分に、表示窓５３が形成される。表示窓５３は、前ケーシング６の上部フレーム５２部分に形成した開口に、透明な樹脂材料からなる板材が嵌め込まれてなる。樹脂材料としては、ＡＢＳ、ポリエチレン、ポリカーボネートが挙げられる。表示窓５３及びその周辺の裏面に磁石板（マグネットシート）５４が設けられる。
【００４８】
この表示窓５３の裏には、表示窓５３を透して運転状態を表示するための表示ユニット５５が設けられる。表示ユニット５５は、運転状態を表示する発光部（図示せず）と、発光部からの光を通す発光孔５６が形成された表示カバー５７と、発光部及び表示カバー５７を支持するベース部材５８とからなる。発光部は、複数のＬＥＤが実装された表示基板を有する。発光孔５６は、複数のＬＥＤに対応して、文字の形等となるように開口形成される。ベース部材５８の前面側には表示窓５３の磁石板５４と対向する位置に磁石板５９が設けられる。また、ベース部材５８の端部には複数の爪６０が形成されている。
【００４９】
表示ユニット５５の発光孔５６が表示窓５３に臨むようにして両者を重ね合わせ、表示ユニット５５のベース部材５８の端部に形成された複数の爪６０を、表示窓５３の形成された前ケーシング６に係止させる。この際、表示窓５３の裏面と表示ユニット５５のベース部材５８の前面にはそれぞれ磁石板５４、５９が設けられているので、両者の磁力によって、表示窓５３と表示ユニット５５とを密着させることができる。したがって、発光部から発せられた光は表示窓５３を通じて外部からはっきりと視認可能となる。また、磁石板による磁力は経年によって弱くなりにくいため、視認性を持続することができる。なお、上記では表示窓５３及び表示ユニット５５の両方に磁石板５４、５９を設けたが、いずれか一方を他方の磁石板と吸いつく磁性体としてもよい。また、表示部５１は前面パネル１２等の他の部分に設けてもよい。
【符号の説明】
【００５０】
１    室内機
２    ケーシング
３    熱交換器
４    室内ファン
５    後ケーシング
６    前ケーシング
７    吸込口
１３  フィルタ
１４  移動経路
１５  駆動手段
１６  清掃手段
２０  連結部材
２１  延長部
２２  前ドレンパン
２３  後ドレンパン
２４  上部リアガイダ
２５  下部リアガイダ
２６  支持板
２７  ピン
２８  長孔
５１  表示部
５４、５９  磁石板
【図１】
0005432099.tif 000002
【図２】
0005432099.tif 000003
【図３】
0005432099.tif 000004
【図４】
0005432099.tif 000005
【図５】
0005432099.tif 000006
【図６】
0005432099.tif 000007
【図７】
0005432099.tif 000008
【図８】
0005432099.tif 000009
【図９】
0005432099.tif 000010
【図１０】
0005432099.tif 000011
【図１１】
0005432099.tif 000012